(57)【要約】      （修正有）【課題】軽量で、ペットの体格に合わせて、形状、角度等を、使用者が容易に加工できるペット用携帯トイレを提供する。【解決手段】糞を受ける袋状の物と、それを固定するフレーム、使用者が把時するハンドル部１、及びフレームとハンドル部を結ぶ柄２の３パーツで構成され、かつ３パーツが樹脂被覆スチールワイヤーを使用して一体成型されている。フレームに市販の手つきポリ袋４を上から差し込み、上部を折り返し手の部分５を柄の後ろ側に回し結ぶことでフレームに固定できることが好ましい。【選択図】図３
0003189350.tif 000002
【実用新案登録請求の範囲】
【請求項１】
ペット用携帯トイレのフレーム、柄、ハンドル部分を樹脂被覆スチールワイヤーで一体成型することにより、軽量化を図り、かつ市販の手つきポリ袋に対応するフレーム形状を有し、ペットの体格に合わせてフレームの形状や角度を使用者が容易に加工できることを、特徴とするペット用携帯トイレ。
【考案の詳細な説明】
【技術分野】
【０００１】本考案は、犬等ペットの散歩時に簡単に糞の処理ができるペット用携帯トイレに関する。
【背景技術】
【０００２】従来の携帯トイレは、ペットの糞を肛門の直下にて受け取る為の、糞受け袋を固定するフレームと、柄、ハンドル部分を接合させた形状の物が、主流であった。
【考案の概要】
【考案が解決しようとする課題】
【０００３】これらは、使用者の利便性を追求するとパーツが増え、携帯性を目的とするには、重量が増してしまう。【０００４】フレームの形状によっては、糞受け袋の形や、サイズに制限ができてしまう可能性がある。
【課題を解決する為の手段】
【０００５】ペット用携帯トイレのフレーム、柄、ハンドル部分を樹脂被覆スチールワイヤーで一体成型することにより、軽量化を図り、かつ市販の手つきポリ袋に対応するフレーム形状を有し、ペットの体格に合わせてフレームの形状や角度を使用者が容易に加工できることを、特徴とするペット用携帯トイレ。（図１）
【考案の効果】
【０００６】樹脂被覆スチールワイヤーで成型すると、市販のポリエチレンの手つき袋をフレームに結びつけても（図３）、１００グラム前後の重量で済む。又、（図３）の状態を基本として、さらに手のない市販のポリエチレン袋を手つき袋に重ねることで、糞の入った袋の口をその場で縛って、臭いの拡散を防ぐこともできる。手つき袋は、汚れたり、破損するまで何回も使えるので、毎回着脱の必要はない。
【０００７】ペットの体高が低く、フレームに結びつけた手つき袋が地面に着くようなら、袋の手の部分の必要な長さを残して、袋本体を鋏で切り取り（図４）、使用すれば、袋を地面にひきずることもない。
【０００８】フレームの形状は、ペットが壁際などに糞をする時など、必ずしも真後ろから差し入れられるわけではないので、ペットの太腿に触れることなども考慮し円形とした。ただ柄に近い部分は、手つき袋が引っ掛かり易いように角をつけた。（図１）（図２）
【０００９】樹脂被覆スチールワイヤーだと、使用者の使い易いように、手又はペンチ等の工具を使用して、柄とフレームの角度を調節することができる。（図５）
【００１０】フレームを少し細長くして先を尖らせると、糞がフレームに入らなかった場合シャベルですくう要領で袋に入れ易くなる。（図６）
【図面の簡単な説明】
【図１】  一体成型のフレーム・柄・ハンドルを真上から見た図
【図２】  ［図１］を斜め上から見た図
【図３】  ［図２］に手つきポリ袋を、結びつけた図
【図４】  手つきポリ袋の、手の部分の必要な長さを残して切り取り、フレームに結び付けた図
【図５】  角度変更の横から見た図
【図６】  フレームの形状の加工例
【実施例】
【００１１】［図３］の様に、市販の手つきポリ袋を結びつけた、ペット用携帯トイレを、ペットの脱糞時に、肛門直下に差し入れる。【００１２】［００１１］の方法だと、手つきポリ袋が直接汚れる為、帰宅してから、糞の処理をし、新しいポリ袋を結び直す必要がある。結び直す手間を省き、コストを抑えるために手つきポリ袋のなかに、手なしポリ袋を重ねて入れておくとさらに便利である。手なし袋のみを取り出して口の部分を縛り、自治体の分別に合わせて処分する。又、糞のみをトイレに流したい場合は、予めポリ袋の中にトイレットペーパーを仕込んでおくと良い。【００１３】散歩途中で、糞の臭いの拡散が気になる環境なら、脱糞直後に手なし袋の口を縛ると良い。又１回の散歩で、数回糞をするペットなら、手なし袋を数枚重ねてセットしておくと良い。嵩張らないので、可能である。【００１４】魚すくい網のように、初めからフレームにネットをつけておいて、直接手なしポリ袋を重ねて使うことも可能だが、ネットに糞がついてしまったり、袋の中の糞が使用者からよく見えてしまうという、難点がある。その点本考案では、ポリ袋に糞がついても問題なく、又手つきポリ袋を縛る際にできるくびれ形状が袋の中を見えにくくするという利点がある。【００１５】ポリ袋の中の糞が、さらに見えにくいようにするために、手つきポリ袋は、透明よりも半透明か不透明の物を推奨する。
【符号の説明】１    ハンドル
２    柄
３    フレーム
４    手つきポリ袋
５    手つきポリ袋の結び目
６    中を見えにくくするくびれ部分
【図１】
0003189350.tif 000003
【図２】
0003189350.tif 000004
【図３】
0003189350.tif 000005
【図４】
0003189350.tif 000006
【図５】
0003189350.tif 000007
【図６】
0003189350.tif 000008
【手続補正書】
【提出日】平成25年9月21日(2013.9.21)
【手続補正１】
【補正対象書類名】実用新案登録請求の範囲
【補正対象項目名】全文
【補正方法】変更
【補正の内容】
【実用新案登録請求の範囲】
【請求項１】
糞を受ける袋状の物と、それを固定するフレーム。使用者が把時するハンドル部。フレームとハンドル部を結ぶ柄の３パーツで構成され、かつそれぞれのパーツが樹脂被覆スチールワイヤーを使用して一体成型されている事を特徴とする、ペット用携帯トイレ。
【請求項２】
フレームに市販の手つきポリ袋を上から差し込み、上部を折り返し手の部分を柄の後ろ側に回し結ぶことでフレームに固定することを特徴とする、ペット用携帯トイレ。
【請求項３】
樹脂被覆スチールワイヤーの特性により、ペットの体格に合わせて、フレームの形状や柄に対する角度を使用者が容易に加工できる、ペット用携帯トイレ。
【手続補正書】
【提出日】平成25年12月12日(2013.12.12)
【手続補正１】
【補正対象書類名】実用新案登録請求の範囲
【補正対象項目名】全文
【補正方法】変更
【補正の内容】
【実用新案登録請求の範囲】
【請求項１】
糞を受ける袋状の物と、それを固定するフレーム、使用者が把時するハンドル部、及びフレームとハンドル部を結ぶ柄の３パーツで構成され、かつ前記３パーツが樹脂被覆スチールワイヤーを使用して一体成型されている事を特徴とする、ペット用携帯トイレ。
【請求項２】
フレームに市販の手つきポリ袋を上から差し込み、上部を折り返し手の部分を柄の後ろ側に回し結ぶことでフレームに固定することを特徴とする請求項１に記載のペット用携帯トイレ。
【請求項３】
樹脂被覆スチールワイヤーの特性により、ペットの体格に合わせて、フレームの形状や柄に対する角度を使用者が容易に加工できることを特徴とする請求項１に記載のペット用携帯トイレ。